【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
セルラＩｏＴ（Ｉｎｔｅｒｎｅｔ  ｏｆ  Ｔｈｉｎｇｓ）処理のために構成される進化型ノードＢ（ｅＮＢ）の装置であって、
メモリと、
ＩｏＴユーザ装置（ＵＥ）のＲＲＣ（Ｒａｄｉｏ  Ｒｅｓｏｕｒｃｅ  Ｃｏｎｔｒｏｌ）接続中断手順を開始するよう前記ｅＮＢを設定する処理回路と、
を有し、
前記ＲＲＣ接続中断手順の一部として、前記処理回路は、
Ｓ１インタフェースを介しＭＭＥ（Ｍｏｂｉｌｉｔｙ  Ｍａｎａｇｅｍｅｎｔ  Ｅｎｔｉｔｙ）への送信のため、前記ＵＥのＲＲＣ接続の中断を示し、前記ＵＥのコンテクストを中断するためのＵＥコンテクスト中断リクエストメッセージを符号化し、
前記Ｓ１インタフェースを介し前記ＭＭＥから受信したシグナリングから、前記ＵＥコンテクスト中断リクエストメッセージをアクノリッジするＵＥコンテクスト中断レスポンスメッセージを復号化し、
前記ＵＥコンテクスト中断レスポンスメッセージを受信したことに応答して、前記ＵＥへの送信のため、前記ＵＥのＲＲＣ接続を中断するためのＲＲＣＣｏｎｎｅｃｔｉｏｎＲｅｌｅａｓｅメッセージを符号化するよう構成され、
前記ＲＲＣＣｏｎｎｅｃｔｉｏｎＲｅｌｅａｓｅメッセージは、前記ＵＥに前記ＲＲＣ接続を中断し、ＡＳ（Ａｃｃｅｓｓ  Ｓｔｒａｔｕｍ）コンテクストを格納するよう通知するための１つ以上のインジケータを含み、前記ＲＲＣ接続の中断中、１つ以上の中断されたＤＲＢ（Ｄａｔａ  Ｒａｄｉｏ  Ｂｅａｒｅｒ）が確立されて非アクティブなままであり、前記メモリは前記１つ以上のインジケータを格納するよう構成される装置。
【請求項２】
前記ＵＥコンテクスト中断レスポンスメッセージは、セキュリティコンテクスト情報を含む、請求項１記載の装置。
【請求項３】
前記セキュリティコンテクスト情報は、前記ＵＥのＲＲＣ接続のためのセキュリティキーを含む、請求項２記載の装置。
【請求項４】
前記１つ以上のインジケータは、前記ＲＲＣＣｏｎｎｅｃｔｉｏｎＲｅｌｅａｓｅメッセージの原因を示す、請求項１記載の装置。
【請求項５】
前記１つ以上のインジケータは、前記ＲＲＣ接続の中断を含む原因を示す、請求項１乃至４何れか一項記載の装置。
【請求項６】
ＩｏＴ（Ｉｎｔｅｒｎｅｔ  ｏｆ  Ｔｈｉｎｇｓ）  ＵＥ（Ｕｓｅｒ  Ｅｑｕｉｐｍｅｎｔ）の装置であって、
メモリと、
ＲＲＣ（Ｒａｄｉｏ  Ｒｅｓｏｕｒｃｅ  Ｃｏｎｔｒｏｌ）接続中断手順を実行するよう前記ＵＥを設定する処理回路と、
を有し、
前記ＲＲＣ接続中断手順の一部として、前記処理回路は、
進化型ノードＢ（ｅＮＢ）から受信したシグナリングから、前記ＵＥのＲＲＣ接続を中断するためのＲＲＣＣｏｎｎｅｃｔｉｏｎＲｅｌｅａｓｅメッセージを復号化し、前記ＲＲＣＣｏｎｎｅｃｔｉｏｎＲｅｌｅａｓｅメッセージは、前記ＵＥに前記ＲＲＣ接続を中断し、ＡＳ（Ａｃｃｅｓｓ  Ｓｔｒａｔｕｍ）セキュリティコンテクストを格納するよう通知するための１つ以上のインジケータを含み、前記ＲＲＣ接続の中断中、１つ以上の中断されたＤＲＢ（Ｄａｔａ  Ｒａｄｉｏ  Ｂｅａｒｅｒ）が確立されて非アクティブなままであり、
前記ＲＲＣＣｏｎｎｅｃｔｉｏｎＲｅｌｅａｓｅメッセージを受信したことに応答して、前記メモリに前記ＡＳコンテクストを少なくとも格納し、前記ＲＲＣ接続のＤＲＢを中断し、ＲＲＣアイドルモードに入るよう構成される装置。
【請求項７】
前記１つ以上のインジケータは、前記ＲＲＣＣｏｎｎｅｃｔｉｏｎＲｅｌｅａｓｅメッセージの原因を示す、請求項６記載の装置。
【請求項８】
前記１つ以上のインジケータは、前記ＲＲＣ接続の中断を含む原因を示す、請求項６又は７記載の装置。
【請求項９】
セルラＩｏＴ（Ｉｎｔｅｒｎｅｔ  ｏｆ  Ｔｈｉｎｇｓ）処理のために構成される進化型ノードＢ（ｅＮＢ）の１つ以上のプロセッサによる実行用の命令を格納するコンピュータ可読ハードウェア記憶装置であって、
前記命令は、
ＩｏＴユーザ装置（ＵＥ）のＲＲＣ（Ｒａｄｉｏ  Ｒｅｓｏｕｒｃｅ  Ｃｏｎｔｒｏｌ）接続中断手順を開始するよう前記１つ以上のプロセッサを設定し、
前記ＲＲＣ接続中断手順の一部として、前記命令は、
Ｓ１インタフェースを介しＭＭＥ（Ｍｏｂｉｌｉｔｙ  Ｍａｎａｇｅｍｅｎｔ  Ｅｎｔｉｔｙ）への送信のため、前記ＵＥのＲＲＣ接続の中断を示し、前記ＵＥのコンテクストを中断するためのＵＥコンテクスト中断リクエストメッセージを符号化し、
前記Ｓ１インタフェースを介し前記ＭＭＥから受信したシグナリングから、前記ＵＥコンテクスト中断リクエストメッセージをアクノリッジするＵＥコンテクスト中断レスポンスメッセージを復号化し、
前記ＵＥコンテクスト中断レスポンスメッセージを受信したことに応答して、前記ＵＥへの送信のため、前記ＵＥのＲＲＣ接続を中断するためのＲＲＣＣｏｎｎｅｃｔｉｏｎＲｅｌｅａｓｅメッセージを符号化するよう前記１つ以上のプロセッサを設定し、
前記ＲＲＣＣｏｎｎｅｃｔｉｏｎＲｅｌｅａｓｅメッセージは、前記ＵＥに前記ＲＲＣ接続を中断し、ＡＳ（Ａｃｃｅｓｓ  Ｓｔｒａｔｕｍ）コンテクストを格納するよう通知するための１つ以上のインジケータを含み、前記ＲＲＣ接続の中断中、１つ以上の中断されたＤＲＢ（Ｄａｔａ  Ｒａｄｉｏ  Ｂｅａｒｅｒ）が確立されて非アクティブなままである記憶装置。
【請求項１０】
前記ＵＥコンテクスト中断レスポンスメッセージは、セキュリティコンテクスト情報を含む、請求項９記載の記憶装置。
【請求項１１】
前記セキュリティコンテクスト情報は、前記ＵＥのＲＲＣ接続のためのセキュリティキーを含む、請求項１０記載の記憶装置。
【請求項１２】
前記１つ以上のインジケータは、前記ＲＲＣＣｏｎｎｅｃｔｉｏｎＲｅｌｅａｓｅメッセージの原因を示す、請求項９記載の記憶装置。
【請求項１３】
前記１つ以上のインジケータは、前記ＲＲＣ接続の中断を含む原因を示す、請求項９乃至１２何れか一項記載の記憶装置。
【請求項１４】
ＩｏＴ（Ｉｎｔｅｒｎｅｔ  ｏｆ  Ｔｈｉｎｇｓ）ユーザ装置（ＵＥ）の１つ以上のプロセッサによる実行用の命令を格納するコンピュータ可読ハードウェア記憶装置であって、
前記命令は、ＲＲＣ（Ｒａｄｉｏ  Ｒｅｓｏｕｒｃｅ  Ｃｏｎｔｒｏｌ）接続中断手順を実行するよう前記ＵＥを設定するよう前記１つ以上のプロセッサを設定し、
前記ＲＲＣ接続中断手順の一部として、前記命令は、
進化型ノードＢ（ｅＮＢ）から受信したシグナリングから、前記ＵＥのＲＲＣ接続を中断するためのＲＲＣＣｏｎｎｅｃｔｉｏｎＲｅｌｅａｓｅメッセージを復号化し、前記ＲＲＣＣｏｎｎｅｃｔｉｏｎＲｅｌｅａｓｅメッセージは、前記ＵＥに前記ＲＲＣ接続を中断し、ＡＳ（Ａｃｃｅｓｓ  Ｓｔｒａｔｕｍ）セキュリティコンテクストを格納するよう通知するための１つ以上のインジケータを含み、前記ＲＲＣ接続の中断中、１つ以上の中断されたＤＲＢ（Ｄａｔａ  Ｒａｄｉｏ  Ｂｅａｒｅｒ）が確立されて非アクティブなままであり、
前記ＲＲＣＣｏｎｎｅｃｔｉｏｎＲｅｌｅａｓｅメッセージを受信したことに応答して、前記メモリに前記ＡＳコンテクストを少なくとも格納し、前記ＲＲＣ接続のＤＲＢを中断し、ＲＲＣアイドルモードに入るよう前記１つ以上のプロセッサを設定する記憶装置。
【請求項１５】
前記１つ以上のインジケータは、前記ＲＲＣＣｏｎｎｅｃｔｉｏｎＲｅｌｅａｓｅメッセージの原因を示す、請求項１４記載の記憶装置。
【請求項１６】
前記１つ以上のインジケータは、前記ＲＲＣ接続の中断を含む原因を示す、請求項１４又は１５記載の記憶装置。
【請求項１７】
ＩｏＴユーザ装置（ＵＥ）のＲＲＣ（Ｒａｄｉｏ  Ｒｅｓｏｕｒｃｅ  Ｃｏｎｔｒｏｌ）接続中断手順を開始するよう進化型ノードＢ（ｅＮＢ）を設定することを含む方法であって、
前記ＲＲＣ接続中断手順は、
Ｓ１インタフェースを介しＭＭＥ（Ｍｏｂｉｌｉｔｙ  Ｍａｎａｇｅｍｅｎｔ  Ｅｎｔｉｔｙ）への送信のため、前記ＵＥのＲＲＣ接続の中断を示し、前記ＵＥのコンテクストを中断するためのＵＥコンテクスト中断リクエストメッセージを符号化し、
前記Ｓ１インタフェースを介し前記ＭＭＥから受信したシグナリングから、前記ＵＥコンテクスト中断リクエストメッセージをアクノリッジするＵＥコンテクスト中断レスポンスメッセージを復号化し、
前記ＵＥコンテクスト中断レスポンスメッセージを受信したことに応答して、前記ＵＥへの送信のため、前記ＵＥのＲＲＣ接続を中断するためのＲＲＣＣｏｎｎｅｃｔｉｏｎＲｅｌｅａｓｅメッセージを符号化することを含み、
前記ＲＲＣＣｏｎｎｅｃｔｉｏｎＲｅｌｅａｓｅメッセージは、前記ＵＥに前記ＲＲＣ接続を中断し、ＡＳ（Ａｃｃｅｓｓ  Ｓｔｒａｔｕｍ）コンテクストを格納するよう通知するための１つ以上のインジケータを含み、前記ＲＲＣ接続の中断中、１つ以上の中断されたＤＲＢ（Ｄａｔａ  Ｒａｄｉｏ  Ｂｅａｒｅｒ）が確立されて非アクティブなままである方法。
【請求項１８】
前記ＵＥコンテクスト中断レスポンスメッセージは、セキュリティコンテクスト情報を含む、請求項１７記載の方法。
【請求項１９】
前記セキュリティコンテクスト情報は、前記ＵＥのＲＲＣ接続のためのセキュリティキーを含む、請求項１７又は１８記載の方法。
【請求項２０】
セルラＩｏＴ（Ｉｎｔｅｒｎｅｔ  ｏｆ  Ｔｈｉｎｇｓ）処理のために構成される進化型ノードＢ（ｅＮＢ）の装置であって、
ＩｏＴユーザ装置（ＵＥ）のＲＲＣ（Ｒａｄｉｏ  Ｒｅｓｏｕｒｃｅ  Ｃｏｎｔｒｏｌ）接続中断手順を開始するよう前記ｅＮＢを設定する手段を有し、
前記ＲＲＣ接続中断手順は、
Ｓ１インタフェースを介しＭＭＥ（Ｍｏｂｉｌｉｔｙ  Ｍａｎａｇｅｍｅｎｔ  Ｅｎｔｉｔｙ）への送信のため、前記ＵＥのＲＲＣ接続の中断を示し、前記ＵＥのコンテクストを中断するためのＵＥコンテクスト中断リクエストメッセージを符号化し、
前記Ｓ１インタフェースを介し前記ＭＭＥから受信したシグナリングから、前記ＵＥコンテクスト中断リクエストメッセージをアクノリッジするＵＥコンテクスト中断レスポンスメッセージを復号化し、
前記ＵＥコンテクスト中断レスポンスメッセージを受信したことに応答して、前記ＵＥへの送信のため、前記ＵＥのＲＲＣ接続を中断するためのＲＲＣＣｏｎｎｅｃｔｉｏｎＲｅｌｅａｓｅメッセージを符号化することを含み、
前記ＲＲＣＣｏｎｎｅｃｔｉｏｎＲｅｌｅａｓｅメッセージは、前記ＵＥに前記ＲＲＣ接続を中断し、ＡＳ（Ａｃｃｅｓｓ  Ｓｔｒａｔｕｍ）コンテクストを格納するよう通知するための１つ以上のインジケータを含み、前記ＲＲＣ接続の中断中、１つ以上の中断されたＤＲＢ（Ｄａｔａ  Ｒａｄｉｏ  Ｂｅａｒｅｒ）が確立されて非アクティブなままであり、
前記１つ以上のインジケータを格納する手段を含む装置。
【請求項２１】
前記ＵＥコンテクスト中断レスポンスメッセージは、セキュリティコンテクスト情報を含む、請求項２０記載の装置。
【請求項２２】
前記セキュリティコンテクスト情報は、前記ＵＥのＲＲＣ接続のためのセキュリティキーを含む、請求項２０又は２１記載の装置。
【請求項２３】
ＩｏＴ（Ｉｎｔｅｒｎｅｔ  ｏｆ  Ｔｈｉｎｇｓ）ユーザ装置（ＵＥ）の装置であって、
ＲＲＣ（Ｒａｄｉｏ  Ｒｅｓｏｕｒｃｅ  Ｃｏｎｔｒｏｌ）接続中断手順を実行するよう前記ＵＥを設定する手段であって、
前記ＲＲＣ接続中断手順は、
進化型ノードＢ（ｅＮＢ）から受信したシグナリングから、前記ＵＥのＲＲＣ接続を中断するためのＲＲＣＣｏｎｎｅｃｔｉｏｎＲｅｌｅａｓｅメッセージを復号化する手段を含み、前記ＲＲＣＣｏｎｎｅｃｔｉｏｎＲｅｌｅａｓｅメッセージは、前記ＵＥに前記ＲＲＣ接続を中断し、ＡＳ（Ａｃｃｅｓｓ  Ｓｔｒａｔｕｍ）セキュリティコンテクストを格納するよう通知するための１つ以上のインジケータを含み、前記ＲＲＣ接続の中断中、１つ以上の中断されたＤＲＢ（Ｄａｔａ  Ｒａｄｉｏ  Ｂｅａｒｅｒ）が確立されて非アクティブなままである、設定する手段と、
前記ＲＲＣＣｏｎｎｅｃｔｉｏｎＲｅｌｅａｓｅメッセージを受信したことに応答して、前記メモリに前記ＡＳコンテクストを少なくとも格納する手段と、
前記ＲＲＣＣｏｎｎｅｃｔｉｏｎＲｅｌｅａｓｅメッセージを受信したことに応答して、前記ＲＲＣ接続のＤＲＢを中断する手段と、
前記ＲＲＣＣｏｎｎｅｃｔｉｏｎＲｅｌｅａｓｅメッセージを受信したことに応答して、ＲＲＣアイドルモードに入る手段と、
を有する装置。
【請求項２４】
前記１つ以上のインジケータは、前記ＲＲＣＣｏｎｎｅｃｔｉｏｎＲｅｌｅａｓｅメッセージの原因を示す、請求項２３記載の装置。
【請求項２５】
ＩｏＴ（Ｉｎｔｅｒｎｅｔ  ｏｆ  Ｔｈｉｎｇｓ）ユーザ装置（ＵＥ）と、
ＩｏＴ処理のために構成される進化型ノードＢ（ｅＮＢ）と、
を有するシステムであって、
前記ｅＮＢは前記ＵＥのＲＲＣ（Ｒａｄｉｏ  Ｒｅｓｏｕｒｃｅ  Ｃｏｎｔｒｏｌ）接続中断手順を開始し、
前記ＲＲＣ接続中断手順は、
Ｓ１インタフェースを介しＭＭＥ（Ｍｏｂｉｌｉｔｙ  Ｍａｎａｇｅｍｅｎｔ  Ｅｎｔｉｔｙ）への送信のため、前記ＵＥのＲＲＣ接続の中断を示し、前記ＵＥのコンテクストを中断するためのＵＥコンテクスト中断リクエストメッセージを符号化し、
前記Ｓ１インタフェースを介し前記ＭＭＥから受信したシグナリングから、前記ＵＥコンテクスト中断リクエストメッセージをアクノリッジするＵＥコンテクスト中断レスポンスメッセージを復号化し、
前記ＵＥコンテクスト中断レスポンスメッセージを受信したことに応答して、前記ＵＥへの送信のため、前記ＵＥのＲＲＣ接続を中断するためのＲＲＣＣｏｎｎｅｃｔｉｏｎＲｅｌｅａｓｅメッセージを符号化することを含み、
前記ＲＲＣＣｏｎｎｅｃｔｉｏｎＲｅｌｅａｓｅメッセージは、前記ＵＥに前記ＲＲＣ接続を中断し、ＡＳ（Ａｃｃｅｓｓ  Ｓｔｒａｔｕｍ）コンテクストを格納するよう通知するための１つ以上のインジケータを含み、前記ＲＲＣ接続の中断中、１つ以上の中断されたＤＲＢ（Ｄａｔａ  Ｒａｄｉｏ  Ｂｅａｒｅｒ）が確立されて非アクティブなままであるシステム。